(57)【要約】【課題】商品販売登録装置に関し、操作性が良好で、かつ、レイアウト変更に対する柔軟性を高めることを目的とする。【解決手段】現金取扱い取引に必須の構成部材を、床面５上に自立可能な基台６に所定の高さ位置に組み付けて一体とする。【選択図】  図１
2005301368.tif 000002
【特許請求の範囲】
【請求項１】
現金取扱い取引に必須の構成部材を、床面上に自立可能な基台に所定の高さ位置に組み付けて一体とした商品販売登録装置。
【請求項２】
電子マネー取引に必須の構成部材を、床面上に自立可能な基台に所定の高さ位置に組み付けて一体とした商品販売登録装置。
【請求項３】
前記基台の両側壁部に、買い物かご載置台が突設される請求項１または２記載の商品販売登録装置。
【請求項４】
前記基台には、他の精算操作に関連するオプション装置を連結可能な請求項１、２または３記載の商品販売登録装置。
【発明の詳細な説明】
【技術分野】
【０００１】
本発明は、商品販売登録装置に関するものである。
【背景技術】
【０００２】
スーパーマーケット等において販売金額の会計、集計を行う際に使用される商品販売登録装置としては、特許文献１に記載のものが知られている。
この従来例において、商品販売登録装置は、買い物かご等を載せるカウンタの中央部に配置されるスキャナ装置と、カウンタの一端から操作者側への張り出し部に配置される入出金用のドロア等を含む入出金処理部とを有して構成される。
【０００３】
入出金処理に際して、操作者は一旦スキャナ装置により商品の価格等を読み込んだ後、入出金処理部に向きを変え、現金等の授受を行う。
しかし、上述した従来例において、スキャナ装置と入出金処理部が離隔しているために、操作性が悪い上に、長尺のカウンタを必須とするために、チェックアウトレーンが大型化する上に、レイアウト変更等も難しいという問題がある。
【０００４】
一方、ドロア等とスキャナ装置を一体にしたものとしては、例えば、特許文献２に記載されたようなＰＯＳ装置があるが。この従来例においても、カウンタ上に載せて運用することが前提であるために、上述した従来例のような操作性の難は解消されるものの、レイアウト変更等に対する柔軟性に対する難は未だ解消されているとはいえない。
【特許文献１】特開平１１-５３６４３号公報
【特許文献２】特開２０００-２１０１４５号公報
【発明の開示】
【発明が解決しようとする課題】
【０００５】
本発明は、以上の欠点を解消すべくなされたものであって、操作性が良好で、かつ、レイアウト変更に対する柔軟性の高い商品販売登録装置の提供を目的とする。
【課題を解決するための手段】
【０００６】
本発明において、商品販売登録装置特に現金取扱い取引に必須の構成部材であるスキャナ装置１、入出金用のドロアユニット２、集計金額表示装置３及びこれらを制御するコントローラユニット４を基台６に組み付けて構成される。基台６は、床面５上に自立可能であり、設置状態において上記スキャナ装置１等が操作者による操作位置（高さ）に保持される。
【０００７】
必須構成部材を基台６に組み込み、かつ、基台６を床面５上に自立可能とすることにより、カウンタ等の載置台が不要となる上に、これ自体で独立に所望の位置に設置し、接客することができるために、レイアウト変更の自由度が飛躍的に向上する。
【発明の効果】
【０００８】
本発明によれば、操作性を良好にし、かつ、レイアウト変更に対する柔軟性を高めることができる。
【発明を実施するための最良の形態】
【０００９】
図１に示すように、商品販売登録装置Ａは、基台６に種々の精算管理装置を組み付けて構成される。基台６の底部には、床面５上に載置した状態で不用意に倒れることのないように、幅広平板状の接地フランジ部６ａが形成される。移動の便宜を考慮して、基台６の底部には、車輪６ｂを付けることもできる（図２参照）。
【００１０】
以上のように構成される基台６には、商品販売登録装置Ａとしての基本機能を与えるための最低限の精算管理装置、すなわち、コントローラユニット４と、スキャナ装置１と、ドロアユニット２と、集計金額表示装置３が取り付けられて基本ユニットが構成される。商品に付されたバーコード等を読み取るためのスキャナ装置１と、現金等の入出金用のドロアユニット２とは、オペレータ（Ｍ）に正対するように基台６の正面壁に取り付けられる。
【００１１】
また、上記各精算管理装置を制御し、必要に応じてＰＯＳシステムのコントローラも兼ねるコントローラユニット４は、基台６内部に収容される。
さらに、精算金額を表示するための集計金額表示装置３は、オペレータ（Ｍ）と顧客用に２組が背向配置される（顧客用の集計金額表示装置は、図６において符号３’を付して示す。）。これら各精算管理装置は、装置オペレータ（Ｍ）が無理のない姿勢で操作可能な高さに保持され、基台６は床面５上に設置した状態でこれらが適切な高さに位置するように十分な高さ寸法に形成される。
【００１２】
上記基本ユニットには、所望のオプション装置９が連結、あるいは基台６内に収容される。オプション装置９は、オペレータ（Ｍ）、あるいは顧客の精算操作の効率を向上させうための備品であり、図１においてはレシート発行装置１０がオプション装置９として装備される。このレシート発行装置１０は、レシート排出部１０ａをオペレータ（Ｍ）側に向けて基台６内に収容される。また、この実施の形態において、オペレータ（Ｍ）用の集計金額表示装置３は、表示装置に加えて、商品にバーコードが付されていない時等に商品種等を手入力するための多目的キーボード１１が一体に形成されたものが使用されており、このように、オプション装置９は、基本ユニットの構成部品を多機能にしたもの、あるいは複合化したものとして提供することもできる。
【００１３】
ほぼ基本ユニットにのみにより構成されるこの実施の形態は、ミニスーパーマーケット等の比較的小規模な店舗において有用であり、床面５上に設置するだけで、図１において鎖線で示すように、顧客にカート１２を横付けさせて精算等を行うことができる。
【００１４】
各精算管理装置の基台６内での装着位置は、例えば、図２（ａ）と（ｂ）においてレシート発行装置１０とスキャナ装置１が入れ替わっているように、適宜変更することができる。また、図２に示す実施例においては、オプション用精算管理装置として、買い物かご載置台８が基台６の両側方に突設されており、図２（ａ）、（ｂ）において鎖線で示すように、精算時に買い物かご１３を載せておくことができる。なお、買い物かご載置台８は図６において鎖線で示すように、折り畳み可能にすることも可能である。
【００１５】
また、以上において、基台６は小回りのきくように、細身の角柱形状に形成されていたが、デスク形状に形成することも可能である。この場合、安定性も良好であり、容量も大きなために、多種、あるいは大型のオプション用精算管理装置を装着することができる。
【００１６】
図３は、一側方に買い物かご載置台８を突設し、机上面を他方の買い物かご載置台８として利用するように形成された基台６の変形例を示すもので、ドロアユニット２、レシート発行装置１０、コントローラユニット４は、基台６に形成された棚部に各々収容される。基台６の形状はこれ以外に種々に変更が可能あり、例えば、図４に示すように、両側壁に買い物かご載置台８を形成することもできる。
【００１７】
したがってこの実施の形態における商品販売登録装置Ａを使用してチェックアウトレーンを構成する場合には、図５（ｂ）に示すように、長尺のカウンター１４にスキャナ装置１とドロアユニット２等を離散して配置する場合に比して、全ての精算、接客が顧客に正対したまま行うことができる。この結果、オペレータ（Ｍ）の姿勢変換を要しないために、操作性が向上する上に、省スペースを実現できる。
【００１８】
また、売り出し等で一時的にチェックアウトレーンを変更する場合にも、商品販売登録装置Ａの移動だけで対応可能であり、レイアウトの柔軟性を飛躍的に高めることができる。
【００１９】
以上においては、コントローラユニット４、スキャナ装置１、ドロアユニット２及び集計金額表示装置３により基本ユニットが構成される場合を示したが、基本ユニットの構成は適宜変更可能である。図６は、上記基本ユニットのドロアユニット２に代えて、電子マネーＩＣカード読み書き装置７を装備した場合を示す。電子マネーＩＣカード読み書き装置７は、基台６の背面上部、すなわち、顧客に正対する位置に配置される。この実施の形態による商品販売登録装置Ａは、釣銭等の授受が不要であるために、精算速度の向上が期待できる。この結果、この実施の形態に係る商品販売登録装置Ａを適宜箇所に配置しておくと、電子マネーによる支払いを行う顧客は、列に並ぶことなく精算を行うことができる。
【００２０】
なお、上記電子マネーＩＣカード読み書き装置７は、ドロアユニット２を備えた基本ユニットのオプション用精算管理ユニットとしても利用可能であり、この場合、現金払いの顧客はオペレータ（Ｍ）との現金の授受により精算し、電子マネーの利用者は、電子マネーＩＣカード読み書き装置７を介して支払いを行う。
【図面の簡単な説明】
【００２１】
【図１】本発明を示す図である。
【図２】本発明の他の実施の形態を示す図で、（ａ）は斜視図、（ｂ）は正面図、（ｃ）は側面図である。
【図３】基台の変形例を示す斜視図である。
【図４】図３の変形例を示す斜視図である。
【図５】チェッカーレーンを示す図で、（ａ）は本発明によるもの、（ｂ）は従来例によるチェッカーレーンを示す図である。
【図６】本発明の第３の実施の形態を示す背面から見た斜視図である。
【符号の説明】
【００２２】
１        スキャナ装置
２        ドロアユニット
３        集計金額表示装置
４        コントローラユニット
５        床面
６        基台
７        電子マネーＩＣカード読み書き装置
８        買い物かご載置台
９        オプション装置
【図１】
2005301368.tif 000003
【図２】
2005301368.tif 000004
【図３】
2005301368.tif 000005
【図４】
2005301368.tif 000006
【図５】
2005301368.tif 000007
【図６】
2005301368.tif 000008